【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
クライアント装置との通信に使用されるクライアント側信号と、伝送路との通信に使用される伝送路側信号との間で双方向に変換するトランスポンダであって、
前記クライアント側信号を入出力するクライアント側インタフェースと、
前記伝送路側信号を入出力する伝送路側インタフェースと、を備え、
前記クライアント側インタフェースには、他のクライアント側インタフェース、又は、前記クライアント装置が接続可能であって、
前記クライアント側インタフェースに前記他のクライアント側インタフェース及び前記クライアント装置のいずれが接続されているかを判定する接続判定部と、
前記伝送路側の状態を通知する状態信号が前記伝送路側インタフェースに入力された場合、前記状態信号が入力されたことを示す伝達信号を前記クライアント側インタフェースから出力する伝達信号生成部と、を備え、
前記接続判定部は、
前記クライアント側インタフェースに前記他のクライアント側インタフェースが接続されたことを判定するための認識信号を前記クライアント側インタフェースから出力する認識信号出力部を備え、
前記認識信号が前記クライアント側インタフェースに入力された場合、前記クライアント側インタフェースに前記他のクライアント側インタフェースが接続されていると判定し、
前記伝達信号生成部は、前記接続判定部による判定結果に基づいて、前記クライアント側インタフェースから出力する伝達信号の態様を変更することを特徴とするトランスポンダ。
【請求項２】
前記伝達信号生成部は、
前記接続判定部が前記クライアント側インタフェースに前記他のクライアント側インタフェースが接続されていると判定した場合、前記伝達信号を前記クライアント側インタフェースから出力し、
前記接続判定部が前記クライアント側インタフェースに前記クライアント装置が接続されていると判定した場合、前記クライアント側インタフェースからの信号の出力を停止することを特徴とする請求項１に記載のトランスポンダ。
【請求項３】
前記状態信号は、前記伝送路側で障害が発生したことを伝達する障害信号であることを特徴とする請求項２に記載のトランスポンダ。
【請求項４】
前記認識信号出力部は、
前記伝送路側インタフェースに何らかの信号の入力があると、前記伝送路との接続が確立したことを判定し、
前記伝送路との接続が確立したと判定した場合、前記クライアント側インタフェースから前記認識信号と異なる所定の信号を出力し、
前記伝送路との接続が確立したと判定し、かつ、前記クライアント側インタフェースに所定の信号が入力された場合、前記認識信号を出力することを特徴とする請求項１から請求項３のいずれか一つに記載のトランスポンダ。
【請求項５】
前記接続判定部は、
前記認識信号が前記クライアント側インタフェースに入力された場合、前記認識信号に対する返答信号を前記クライアント側インタフェースから出力する返答信号生成部を備え、
前記出力した認識信号に対する返答信号が前記クライアント側インタフェースに入力されることによって、前記クライアント側インタフェースに前記他のクライアント側インタフェースが接続されていると判定することを特徴とする請求項１から請求項４に記載のトランスポンダ。
【請求項６】
対向する二つのクライアント装置の通信に使用される二つの伝送路を中継する中継装置において、
一方の伝送路に接続される第１トランスポンダ、及び他方の伝送路に接続される第２トランスポンダを備え、
前記第１トランスポンダ及び第２トランスポンダは、前記クライアント装置との通信に使用されるクライアント側信号と前記伝送路との通信に使用される伝送路側信号との間で双方向に変換し、
前記第１トランスポンダ及び第２トランスポンダは、前記クライアント側信号を入出力する前記クライアント側インタフェースと、前記伝送路側信号を入出力する伝送路側インタフェースと、を備え、
前記クライアント側インタフェースには、他の前記クライアント側インタフェース又は前記クライアント装置が接続可能であって、
前記第１トランスポンダの前記クライアント側インタフェースと前記第２トランスポンダの前記クライアント側インタフェースとが接続され、前記第１トランスポンダの前記伝送路側インタフェースに前記一方の伝送路が接続され、前記第２トランスポンダの前記伝送路側インタフェースに前記他方の伝送路が接続され、
前記第１トランスポンダ及び前記第２トランスポンダは、
前記クライアント側インタフェースに前記他のクライアント側インタフェース及び前記クライアント装置のいずれが接続されているかを判定する接続判定部と、
前記伝送路側の状態を通知する状態信号が一方のトランスポンダの前記伝送路側インタフェースに入力された場合、前記状態信号が入力されたことを示す伝達信号を前記一方のトランスポンダの前記クライアント側インタフェースから出力する伝達信号生成部と、を備え、
前記伝達信号生成部は、
前記接続判定部が前記クライアント側インタフェースに前記他のクライアント側インタフェースが接続されていると判定した場合、前記伝達信号を前記クライアント側インタフェースから出力し、
前記接続判定部が前記クライアント側インタフェースに前記クライアント装置が接続されたと判定した場合、前記クライアント側インタフェースからの信号の出力を停止し、
前記第１トランスポンダ及び前記第２トランスポンダの前記接続判定部は、前記クライアント側インタフェースに前記他のクライアント側インタフェースが接続されていると判定し、
前記状態信号が前記伝送路側インタフェースに入力された一方のトランスポンダの前記伝達信号生成部は、前記伝達信号を前記クライアント側インタフェースから前記他方のトランスポンダの前記クライアント側インタフェースに出力し、
前記他方のトランスポンダは、前記クライアント側インタフェースに前記伝達信号が入力された場合、前記状態信号を前記伝送路側インタフェースから出力することを特徴とする中継装置。
【請求項７】
前記状態信号は、前記伝送路側で障害が発生したことを伝達する障害信号であることを特徴とする請求項６に記載の中継装置。
【請求項８】
前記接続判定部は、
前記クライアント側インタフェースに前記他のクライアント側インタフェースが接続されたことを判定するための認識信号を前記クライアント側インタフェースから出力する認識信号出力部を備え、
前記認識信号が前記クライアント側インタフェースに入力された場合、前記クライアント側インタフェースに前記他のクライアント側インタフェースが接続されていると判定し、
前記認識信号出力部は、
前記伝送路側インタフェースに何らかの信号の入力があると、前記伝送路との接続が確立したことを判定し、
前記伝送路との接続が確立したと判定した場合、前記クライアント側インタフェースから前記認識信号と異なる所定の信号を出力し、
前記伝送路との接続が確立したと判定し、かつ、前記クライアント側インタフェースに所定の信号が入力された場合、前記認識信号を出力することを特徴とする請求項６又は請求項７に記載の中継装置。
【請求項９】
前記接続判定部は、
前記認識信号が前記クライアントインタフェースに入力された場合、前記認識信号に対する返答信号を前記クライアント側インタフェースから出力する返答信号生成部を備え、
前記出力した認識信号に対する返答信号が前記クライアント側インタフェースに入力されることによって、前記クライアント側インタフェースに前記他のクライアント側インタフェースが接続されていると判定することを特徴とする請求項６から請求項８のいずれか一つに記載の中継装置。
【請求項１０】
クライアント装置及び伝送路に接続される端局装置において、
前記クライアント装置との通信に使用されるクライアント側信号と前記伝送路との通信に使用される伝送路側信号との間で双方向に変換するトランスポンダを備え、
前記トランスポンダは、
前記クライアント側信号を入出力する前記クライアント側インタフェースと、前記伝送路側信号を入出力する伝送路側インタフェースと、を備え、
前記クライアント側インタフェースには、他の前記クライアント側インタフェース又は前記クライアント装置が接続可能であって、
前記クライアント側インタフェースに前記クライアント装置が接続され、前記伝送路側インタフェースに前記伝送路が接続され、
前記トランスポンダは、
前記クライアント側インタフェースに前記他のクライアント側インタフェース及び前記クライアント装置のいずれが接続されているかを判定する接続判定部と、
前記伝送路側の状態を通知する状態信号が前記伝送路側インタフェースに入力された場合、前記状態信号が入力されたことを示す伝達信号を前記クライアント側インタフェースから出力する伝達信号生成部と、を備え、
前記伝達信号生成部は、
前記接続判定部が前記クライアント側インタフェースに前記他のクライアント側インタフェースが接続されていると判定した場合、前記伝達信号を前記クライアント側インタフェースから出力し、
前記接続判定部が前記クライアント側インタフェースに前記クライアント装置が接続されていると判定した場合、前記クライアント側インタフェースからの信号の出力を停止し、
前記接続判定部は、前記クライアント側インタフェースに前記クライアント装置が接続されていると判定し、
前記状態信号が前記伝送路側インタフェースに入力された場合、前記クライアント側インタフェースからの信号の出力を停止することを特徴とする端局装置。
【請求項１１】
前記状態信号は、前記伝送路側で障害が発生したことを伝達する障害信号であることを特徴とする請求項１０に記載の端局装置。
【請求項１２】
前記接続判定部は、
前記クライアント側インタフェースに前記他のクライアント側インタフェースが接続されたことを判定するための認識信号を前記クライアント側インタフェースから出力する認識信号出力部を備え、
前記認識信号が前記クライアント側インタフェースに入力された場合、前記クライアント側インタフェースに前記他のクライアント側インタフェースが接続されていると判定し、
前記認識信号出力部は、
前記伝送路側インタフェースに何らかの信号の入力があると、前記伝送路との接続が確立したことを判定し、
前記伝送路との接続が確立したと判定した場合、前記クライアント側インタフェースから前記認識信号と異なる所定の信号を出力し、
前記伝送路との接続が確立したと判定し、かつ、前記クライアント側インタフェースに所定の信号が入力された場合、前記認識信号を出力することを特徴とする請求項１０又は請求項１１に記載の端局装置。
【手続補正２】
【補正対象書類名】明細書
【補正対象項目名】００２５
【補正方法】変更
【補正の内容】
【００２５】
図１２に示すクライアント装置１００及び６００は、図１０に示すクライアント装置１００及び６００と同じであり、図１２に示す端局装置２００及び５００は、図１０に示す端局装置２００及び５００と同じであるので、説明を省略する。
【手続補正３】
【補正対象書類名】明細書
【補正対象項目名】００２９
【補正方法】変更
【補正の内容】
【００２９】
トランスポンダ６６０は、伝送路側インタフェースが光合波器６７０に接続され、クライアント側インタフェースがトランスポンダ６５０に接続され、クライアント側信号を伝送路側信号に変換する。
【手続補正４】
【補正対象書類名】明細書
【補正対象項目名】００４０
【補正方法】変更
【補正の内容】
【００４０】
このため、クライアント側インタフェースの一個所で障害が発生したにもかかわらず、伝送路に接続されたすべてのトランスポンダがクライアント入力断信号を出力するため、管理者はすべてのクライアント入力断信号を確認して、障害箇所を特定が困難であった。
【手続補正５】
【補正対象書類名】明細書
【補正対象項目名】００５２
【補正方法】変更
【補正の内容】
【００５２】
トランスポンダは、クライアント装置１及び６（以下、総称してクライアント装置）との通信に用いられるクライアント側信号と伝送路との通信に用いられる伝送路側信号との間で双方向に変換する。
【手続補正６】
【補正対象書類名】明細書
【補正対象項目名】０１０６
【補正方法】変更
【補正の内容】
【０１０６】
次に、中継装置４に備わるトランスポンダ６９は、伝送路側インタフェースにクライアント入力断伝達信号が入力された場合、当該トランスポンダ６９はトランスポンダ７０とバックツーバック接続されているため、伝達信号をクライアント側インタフェースから出力する（８６Ａ）。
【手続補正７】
【補正対象書類名】明細書
【補正対象項目名】０１０７
【補正方法】変更
【補正の内容】
【０１０７】
中継装置４に備わるトランスポンダ７０は、クライアント側インタフェースに伝達信号が入力された場合、クライアント入力断伝達信号を伝送路側インタフェースから伝送路に出力する（８６Ｂ）。
【手続補正８】
【補正対象書類名】明細書
【補正対象項目名】０１３０
【補正方法】変更
【補正の内容】
【０１３０】
トランスポンダ６５は、伝送路側インタフェースにクライアント入力断信号が入力されると、トランスポンダ６５とトランスポンダ６６とがバックツーバック接続されているので、伝達信号をクライアント側インタフェースから出力する（８４）。
【手続補正９】
【補正対象書類名】明細書
【補正対象項目名】０１３１
【補正方法】変更
【補正の内容】
【０１３１】
トランスポンダ６６は、クライアント側インタフェースに伝達信号が入力された場合、クライアント入力断伝達信号を伝送路側インタフェースから出力する（８５）。
【手続補正１０】
【補正対象書類名】明細書
【補正対象項目名】０１４６
【補正方法】変更
【補正の内容】
【０１４６】
なお、本実施形態では、トランスポンダの上流側で発生した障害の通知について説明したが、障害だけに限定されず、トランスポンダの上流側の状態（障害を含む）を通知してもよい。この場合、図７に示すクライアント入力断信号及びクライアント入力断伝達信号は、状態信号となる。
【手続補正１１】
【補正対象書類名】図面
【補正対象項目名】図７
【補正方法】変更
【補正の内容】
【図７】
2012244217.tif 000001
【手続補正１２】
【補正対象書類名】図面
【補正対象項目名】図８
【補正方法】変更
【補正の内容】
【図８】
2012244217.tif 000002